(57)【要約】【課題】人の背部が異なる角度で凭れ、通気性に優れ、使用に耐える角度変化する椅子骨構造を提供する。      【解決手段】角度変化する椅子骨構造は、椅子として実用性に優れ、主に座席フレーム、背もたれフレーム、支持片から構成される。座席フレームは両対称に設置した座席側面片の延長片に連結桿を組み合わせ、背もたれフレームは両対称に設置下条片に連結桿で組み合わせ、支持片は、座席フレーム、枢設桿と共に背もたれフレームに枢設して組み合わせ、背もたれフレームを角度回転させる。【選択図】図１
0003137567.tif 000002
【実用新案登録請求の範囲】
【請求項１】
座席フレーム、背もたれフレーム、二支持片から構成された角度変化する椅子骨構造において、
座席フレームは、両対称Ｙ字型に設置した座席側面片、延長片、及び複数本の連結桿から構成され、座席側面片は複数個の停止孔を具え、そこに連結桿を差し込み、後端の連結桿には定位塊を具え、延長片上端には停止孔を具え、
背もたれフレームは、両対称で複数個の停止孔を具えた条片を設置し、更に複数個の連結桿を停止孔に差込み、また二本の条片に軸孔を貫設し、その軸孔に枢設桿を差し込み、枢設桿には定位塊を具え、
二支持片は、Ｌ字状に設置し、その下端を座席フレーム連結桿の定位塊両端に差し込み、連結桿で二支持片を組み合わせ、二支持片上端には組立孔を設置して背もたれフレーム枢設桿の定位塊両端に差し込み、背もたれフレームの枢設桿両端は座席フレーム延長片の停止孔に組み合わせ、座席フレーム、支持片、背もたれフレームを一体に組み立てるもので、枢設桿、背もたれフレームの条片の軸孔によって背もたれフレームが角度変化し、人の背部に沿って異なる角度を形成することを特徴とする角度変化する椅子骨構造。
【請求項２】
前記座席フレーム、背もたれフレームは、保護層を設置して覆うことを特徴とする請求項１記載の角度変化する椅子骨構造。
【請求項３】
前記座席フレームは、その底面に椅子脚を設置することを特徴とする請求項１記載の角度変化する椅子骨構造。
【考案の詳細な説明】
【技術分野】
【０００１】
本考案は、角度変化する椅子骨構造に関するもので、複数本の連結桿及び条片を設置した座席フレーム、背もたれフレーム、支持片を組み合わせて支持片と座席フレーム組み合わせて固定し、背もたれフレームと支持片が枢設され、背もたれフレームは角度回転し、異なる角度で対応する椅子を形成する。
【背景技術】
【０００２】
公知の椅子骨は、全て木もしくは鉄管で作られ、その表面に合板及び弾性シート（革）で覆う。そのため、下述の欠点がある。(1)木は硬く、鉄管は溶接しているため、角度が固定されており、人の体に沿った角度にできず、また角度を変化させることができない。 (2)それらの材を組み合わせ、重量を支えるため、木板は通気性が悪い。上述の問題は、「座敷椅子」（注：座敷椅子とは脚のない椅子で、畳に直接置いて座る）に於いて、上述の問題をより顕著にし、また人の背中に合った角度にできず、通気性が悪い。
【特許文献１】特開２００５−２３０３６５号号公報
【考案の開示】
【考案が解決しようとする課題】
【０００３】
解決しようとする問題点は、人の背部に合わせることができず、また木片を使用するため、座っていて熱くなりやすい点である。
【課題を解決するための手段】
【０００４】
本考案は、椅子として実用性に優れ、主に座席フレーム、背もたれフレーム、支持片から構成される。座席フレームは両対称に設置した座席側面片の延長片に連結桿を組み合わせ、背もたれフレームは両対称に設置下条片に連結桿で組み合わせ、支持片は、座席フレーム、枢設桿と共に背もたれフレームに枢設して組み合わせ、背もたれフレームを角度回転させることを最も主要な特徴とする。
【考案の効果】
【０００５】
本考案の角度変化する椅子骨構造は、人の背部が異なる角度で凭れ、通気性に優れ、使用に耐えるという利点がある。
【考案を実施するための最良の形態】
【０００６】
図一、二、三、四に示すとおり、座席フレーム１０、背もたれフレーム２０、二支持片３０から構成される。そのうち，
【０００７】
座席フレーム１０は、両対称に設置したＹ字型座席側面片１１、延長片１２、及び複数本の連結桿１５、１５０から構成される。座席側面片１１は複数個の停止孔１３を具え、そこに連結桿１５を差し込み、後端の連結桿１５０は定位塊１６を具え、延長片１２上端には停止孔１４を具える。
【０００８】
背もたれフレーム２０は、両対称で複数個の停止孔２２を設置した条片２１で複数本の連結桿２４を停止孔２２に入れて止める。また両条片２１には軸孔２３が設置され、その軸孔２３に枢設桿２５を差し込み、その枢設桿２５は定位塊２６を具える。
【０００９】
二支持片３０は、Ｌ字型に設置し、その下端は組於座席フレーム１０の連結桿１５０の定位塊１６両端に組み合わせ、連結桿３１と共に二支持片３０を組み合わせる。また二支持片３０上端には組立孔３２を設置し、そこに背もたれフレーム２０の枢設桿２５の定位塊２６両端を差し込む。背もたれフレーム２０の枢設桿２５両端は座席フレーム１０延長片１２の停止孔１４に入れ、座席フレーム１０、支持片３０、背もたれフレーム２０を組み立てて一体にする。更に枢設桿２５、背もたれフレーム２０の条片２１の軸孔２３によって背もたれフレーム２０が回転して角度が変化する。
【００１０】
図一、二に示すとおり、本考案は条片２１、座席側面片１１延長片１２、支持片３０、連結桿２４、１５、３１、１５０、枢設桿２５を止めるだけで簡単、スピーディに組立が完成し、組立前は重ねておくので体積が小さくてすむ。
【００１１】
図三に示すとおり、本考案は座席フレーム１０、背もたれフレーム２０、支持片３０に保護層４０、４１、４２、４３を設置する。座席フレーム１０及び背もたれフレーム２０の保護層４０、４２は網片、スポンジ、ポリウレタン、布片、皮で構成し、柔らかさを具える。座席側面片１１、延長片１２の保護層４１は、軟性樹脂（例：EVA、ゴム）を採用して一体射出成型する。支持片３０の保護層４３は、伸縮湾曲する樹脂カバーで覆う。
【００１２】
本考案の座席フレーム１０連結管１５０の定位塊１６は、両支持片３０が滑るのを防止し、定位を確実にする。背もたれフレーム２０の枢設桿２５の定位塊２６は、背もたれフレーム２０を滑らないようにして定位を確実にする。
【００１３】
本考案に示す図四の「椅子脚」がない場合、和室の畳に置いて「座敷椅子」として使用する。図五に示すのは座席フレーム１０底面に椅子脚５０を設置することにより、脚を具えた椅子となる。図四、図五状態に関わらず、背もたれフレーム２０枢設桿２５に軸孔２３を枢設するため、背もたれフレーム２０を角度回転させ、背部に対して異なる角度を形成して凭れる。別に本考案は連結桿で組み立てて、板片は使用しないため、通気性に優れ、使用に耐える効果を具える。
【００１４】
上述の説明のとおり、本考案の構造は実用性に富み、効果を高めるため、実用新案登録申請に符合する。
【図面の簡単な説明】
【００１５】
【図１】本考案の立体分解図である。
【図２】本考案の組立立体図である。
【図３】本考案の結合保護層の外観図である。
【図４】本考案の角度を変化させた側面図である。
【図５】本考案の椅子脚を設置した実施例図である。
【符号の説明】
【００１６】
１０        座席フレーム
１１        座席側面片
１２        延長片
１３        停止孔
１４        停止孔
１５        連結桿
１６        定位塊
１５０        連結桿
２０        背もたれフレーム
２１        条片
２２        停止孔
２３        軸孔
２４        連結桿
２５        枢設桿
２６        定位塊
３０        支持片
３１        連結桿
３２        組立孔
４０        保護層
４１        保護層
４２        保護層
４３        保護層
５０        椅子脚
【図１】
0003137567.tif 000003
【図２】
0003137567.tif 000004
【図３】
0003137567.tif 000005
【図４】
0003137567.tif 000006
【図５】
0003137567.tif 000007